(57)【要約】  開示された内容は、裸電線の挿入接続が簡便になった電球ソケットに関する。  この電球ソケットは、上面に凹入溝部（１０１）（３０１）を形成したソケット本体（１００）（３００）と、前記凹入溝部（１０１）（３０１）に挿入／固定されるとともに少なくとも一つ以上の入口部（２０１）（４０１）を形成し、内側空間（２０３）（４０３）には弾性片（２３０）（４３０）を配置固定し、これに対応する固定通電片（２４０）（４４０）、接地通電片（４５０）を前記凹入溝部（１０１）（３０１）に配置／固定してソケット本体（１００）（３００）と一体に結合される接続具（２００）（４００）を含む。  この電球ソケットの提供によって裸電線の電源接続が安定的になされるとともに電球ソケットの組立は勿論ランプかさの組立とともに安全性が要求される接地も同時になされる構造になった。
2009524905.tif 000002
【特許請求の範囲】
【請求項１】
電球ソケットにおいて、
上面に凹入溝部（１０１）（３０１）を形成したソケット本体（１００）と、
前記凹入溝部（１０１）（３０１）に挿入／固定されるとともに少なくとも一つ以上の入口部（２０１）（４０１）を形成し、内側空間（２０３）（４０３）には弾性片（２３０）（４３０）を配置固定し、これに対応する固定通電片（２４０）（４４０）を前記凹入溝部（１０１）（３０１）に配置／固定してソケット本体（１００）（３００）と一体に結合される接続具（２００）（４００）を含む電球ソケット。
【請求項２】
前記ソケット本体（１００）（３００）は、
空間（１０４）（３０４）で端子片（１１２）（３１２）とともにアイレット（１２０）（３２０）で固定されるスクリューソケット（１１０）（３１０）を備えることを特徴とする請求項１記載の電球ソケット。
【請求項３】
前記固定通電片（２４０）（４４０）は、引掛け（２４３）（４４３）を形成し、空間（４０３）にはこの引掛け（２４３）（４４３）が引っ掛かる掛り溝（２０２）（４０２）をそれぞれ形成したことを特徴とする請求項１記載の電球ソケット。
【請求項４】
前記接続具（２００）（４００）は、締結孔（２１２）（４１１）を形成した締結突部（２１０）（４１０）をさらに備えることを特徴とする請求項１記載の電球ソケット。
【請求項５】
前記接続具（２００）（４００）の外側両側面にはランプかさ（Ａ）の結合用引掛り弾片（２０４）（４０４）が形成されていることを特徴とする請求項１記載の電球ソケット。
【請求項６】
前記接続具（４００）は、三つの入口部（４０１）をなし、その両側の内側空間（４０３）には弾性片（４３０）と固定通電片（４４０）がそれぞれ対応して挿持されるとともに中間入口部（４０１）はその一側面で内部と連通するように締結突部（４１０）の上面に達するように開口部（４０５）と挿持溝（４０６）を形成して弾性片（４３０）と接地通電片（４５０）が挿持／固定されることを特徴とする請求項１記載の電球ソケット。
【請求項７】
前記ソケット本体（１００）の凹入溝部（１０１）には安着溝（１０３）をさらに形成することを特徴とする請求項１記載の電球ソケット。
【請求項８】
前記ソケット本体（３００）は前記接続具（４００）に対応して結合されるように十字状凹入溝部（３０１）を形成することを特徴とする請求項１記載の電球ソケット。
【請求項９】
前記弾性片（２３０）（４３０）は、
裸電線「ａ２」が弾性的に挿入されるように傾斜した引掛け部（２３１）（４３１）を形成するとともに、その垂直面には離脱防止用の引掛り（２３２）（４３２）を形成することを特徴とする請求項１記載の電球ソケット。
【請求項１０】
前記固定通電片（２３０）（４４０）は、
Ｌ字状をなし、その垂直面には引掛け（２４３）（４４３）を形成し、下部は直角折曲げられて、固定孔（２４２）（４４２）を形成することを特徴とする請求項１記載の電球ソケット。
【請求項１１】
前記ソケット本体（１００）（３００）の締結孔（１０５）（３０５）と締結突部（２１０）（４１０）の締結孔（２１２）（４１１）（４１２）をスクリューボルト（２２０）（４２０）で締結／結合することを特徴とする請求項１記載の電球ソケット。
【請求項１２】
前記ソケット本体（３００）は円筒状であることを特徴とする請求項１ないし１１のうちいずれか１項記載の電球ソケット。
【請求項１３】
前記凹入溝部（１０１）（３０１）の底側にアイレット（１２０）（３２０）が貫通される固定孔（１０２）（３０２）を形成することを特徴とする請求項１ないし１１のうちいずれか一項記載の電球ソケット。
【発明の詳細な説明】
【技術分野】
【０００１】
本発明は裸電線が挿入／通電される接続具をソケット本体と結合することによって裸電線の挿入接続が簡単になった新しい電球ソケットに関する。
【背景技術】
【０００２】
一般的に電球ソケットは円筒状の内側に第１端子用スクリューソケットと、第２端子用端子片とを備え、その後端に電線が連結される連結構造を有しながら、前記スクリューソケットと端子片をアイレットなどで連結させてなるものであって、このような組込構造にしてランプかさなどと共に天井などに取り付けられる照明器具として用いられる。
【０００３】
このような照明用ソケット構造らは、共通的に電源線を固定するために後端側にソケット本体の内部からリベット打ちされたボルティング部材にボルティングして連結される。
【０００４】
このような電球ソケットの例としては韓国登録実用新案20-0404097  (2005．12．12)号のソケットがある。これは磁器材質の円筒状ソケットの本体内側は前記のような電球との結合／接続構造を有し、外側後端には添付図面の図１に示されているような電源線が連結される構造を有しているものが知られている。
【０００５】
このような電源線の連結構造は、被覆電線の端部をむいて裸電線を露出させた後、いちいちリング型の輪でボルティング部材に巻いて連結するか溶接しなければならないわずらわしさがあり、これにより電球ソケットの使用の際、電源の連結が不安定で、工程の時間が遅延されるなどの問題点があった。
【０００６】
このような従来の電球ソケットの問題点は、裸電線状態でソケットの後端に接続する部分の接続／連結構造が不安定なことによるものなので、これをより簡単に接続できて、安定した通電構造に改善することが必要となった。
【発明の開示】
【発明が解決しようとする課題】
【０００７】
本発明は、このような電球ソケットの裸電線接続構造の必要性を勘案して裸電線が挿入／通電される接続具をソケット本体と結合することによって、裸電線の挿入接続が簡単になった新しい電球ソケットを提供することにその目的がある。
【０００８】
本発明は、このような目的を達成すると共に簡単な電線の接続構造を有しながらより安定した電源を供給することが可能になり、電球ソケットの組立作業が簡便な電球ソケットを提供することにもその目的がある。
【課題を解決するための手段】
【０００９】
前記の目的を達成するための本発明の電球ソケットは、
引掛りを形成した固定通電片が設置されたソケット本体と、裸電線が挿入／接続される入口部を形成し、底部は開口すると共に内側空間に弾性片が挿持されると共にこの弾性片に対応して挿着されるよう前記固定通電片の引掛りが掛かる掛り溝を形成した接続具を含み、前記ソケット本体と、接続具が一体に結合される電球ソケットによって達成される。
【００１０】
前記の目的を達成するための本発明の電球ソケットの前記ソケット本体は、円筒状の外側上端に前記接続具が結合される凹入溝部を形成し、その底側にアイレットが貫通される固定孔を形成することが望ましい。
【００１１】
前記の目的を達成するための本発明の電球ソケットの前記接続具は、締結孔を形成した締結突部を形成し、前記ソケット本体はこの締結突部と連通する締結孔を形成してスクリューボルトで締結することが望ましい。
【００１２】
前記の目的を達成するための本発明の電球ソケットの前記接続具は、外側所定位置にランプかさ結合用引掛り弾片をさらに備えることが望ましい。
【００１３】
前記の目的を達成するための本発明の電球ソケットの前記ソケット本体の凹入溝部は、前記締結突部が安着される安着溝をさらに形成することが望ましい。
【００１４】
前記の目的を達成するための本発明の電球ソケットの前記接続具は、下方が開口された二つの空間を区分形成し、それぞれの空間内壁には掛り溝が形成されており、上面にはこの空間と連通する入口部が形成され、外側の広幅の両側垂直面には締結孔を形成した締結突部と結合の際に離脱が防止される引掛り弾片が並んで形成されて反対垂直面と対称に締結突部と引掛り弾片が並んで形成されており、ソケット本体の安着溝もこれに対応して対称形成されることが望ましい。
【００１５】
前記の目的を達成するための本発明の電球ソケットの前記弾性片は、裸電線「ａ２」が挿入されて引っ掛けられるように上部は斜めに掛け部を形成すると共にその垂直面には離脱防止用の引掛りを形成し、下部は直角面を形成することが望ましい。
【００１６】
前記の目的を達成するための本発明の電球ソケットの前記固定通電片は、Ｌ字状をなしながら、その垂直面には引掛りを形成し、下部は直角に折り曲げられて固定孔を形成することが望ましい。
【００１７】
前記の目的を達成するための本発明の電球ソケットのソケット本体の空間は、電球のベースと螺合接続されるように螺旋を形成するとともに、その内部底側に締結孔と、固定孔が穿孔されたスクリューソケットと、端子片が形成されることが望ましい。
【発明の効果】
【００１８】
本発明の電球ソケットは、裸電線が挿入／通電される接続具をソケット本体と結合することによって裸電線の挿入接続が簡単かつより安定した電源の供給が可能になり、電球ソケットの組立作業が簡便になる効果を提供する。
【発明を実施するための最良の形態】
【００１９】
本発明の電球ソケットは、電球ソケットにおいて、上面に凹入溝部を形成したソケット本体と、前記凹入溝部に挿入／固定されるとともに少なくとも一つ以上の入口部を形成し、内側空間には弾性片を配置固定し、これに対応する固定通電片を前記凹入溝部に配置／固定してソケット本体と一体に結合される接続具とを含めてできあがる。
【００２０】
以下、本発明の実施例１を添付の図面に基づいて具体的に説明すれば、次の通りである。
【００２１】
添付図面のうち図２は、本発明電球ソケットの結合斜視図である。
【００２２】
前記図面による本発明の電球ソケットは、大きく分けてソケット本体（１００）と、接続具（２００）からなる。
【００２３】
ソケット本体（１００）後端に結合された接続具（２００）は入口部（２０１）を上端に形成し、ソケット本体（１００）に結合した状態で第１締結孔（２１２）を形成した締結突部（２１０）と引掛り弾片（２０４）を有する。
【００２４】
添付図面のうち図３は本発明電球ソケットの分解斜視図であり、図４は本発明電球ソケットの分解断面図である。
【００２５】
前記図面に基づいて本発明電球ソケットを具体的に説明すれば次の通りである。
【００２６】
前記ソケット本体（１００）は、円筒状の外側後端に前記接続具（２００）が結合される略直四角形に窪んだ凹入溝部（１０１）をなし、この凹入溝部（１０１）の底は第２固定孔（１０２）と第２締結孔（１０５）が穿孔されてソケット本体（１００）内の空間（１０４）と連通される。
【００２７】
前記凹入溝部（１０１）は安着溝（１０３）が対称的に形成されて直四角形の凹入溝部（１０１）から半円状に窪み、前記第２固定孔（１０２）は後述するアイレット（１２０）の固定の際に貫通される孔であり、第２締結孔（１０５）は後述するスクリューボルト（２２０）が締結される孔である。
【００２８】
スクリューソケット（１１０）は、略円筒状をなし、内底部の底には第３固定孔（１１３）と、第３締結孔（１１４）が形成されており、相異なる極性の端子片（１１２）が位置するように底の一部が開口されており、主壁面は螺旋をなし、ソケット本体（１００）内の空間（１０４）に入れられ、アイレット（１２０）で固定される。
【００２９】
即ち、ソケット本体（１００）の第３固定孔（１１３）にアイレット（１２０）を貫通させてソケット本体（１００）内の第２固定孔（１０２）を介して後述する固定通電片（２４０）の第１固定孔（２４２）を貫通した後、その間に圧着／折曲げて固定する組込構造を有する。
【００３０】
接続具（２００）は、下方が開口された二つの空間（２０３）を形成した直六面体であって、それぞれの空間（２０３）内壁には略同じような位置で向い合うように或いは対向して下向傾斜した掛り溝（２０２）が形成されており、上面にこの空間（２０３）と連通する入口部（２０１）がそれぞれの空間（２０３）に形成され、外側の広幅の両側垂直面には第１締結孔（２１２）を形成した締結突部（２１０）を形成し、ランプかさ（Ａ）の組付の際に離脱を防止するために引掛り弾片（２０４）が並んで形成されている。
【００３１】
両側垂直面に形成された締結突部（２１０）と引掛り弾片（２０４）は接続具（２００）の中心部を基準にして互いに反対垂直面の下部分から対称的に位置している。
【００３２】
接続具（２００）内の空間（２０３）には裸電線「ａ２」が挿入されて係止されるように弾性片（２３０）が挿着／支持されている。
【００３３】
即ち、上部は傾斜するように裸電線圧着用の引掛け部（２３１）を形成し、その垂直面には離脱防止用の引掛り（２３２）を切欠き形成し、下部は水平方向に折曲げられた直角面をなす。
【００３４】
この弾性片（２３０）もまた引掛り（２３２）によって前記掛り溝（２０２）に係止される接続具（２００）から離脱が防止され、入口部（２０１）を通過した裸電線が引掛け部（２３１）によって（固定通電片（２４０）と対応接触して）離脱防止されるとともに電源の通電／接続がなされる。
【００３５】
固定通電片（２４０）はＬ字状をなし、その垂直面には引掛け（２４３）を切欠き形成し、下部は水平方向直角／折曲げられた直角面に第１固定孔（２４２）を形成してソケット本体（１００）の第２固定孔（１０２）とスクリューソケット（１１０）の第３固定孔（１１３）を通過したアイレット（１２０）によってソケット本体（１００）に垂直固定される。
【００３６】
添付図面のうち図５（ａ）及び（ｂ）は、本発明の電球ソケットの断面図であり、この図面と前記図面らに基づいて本発明の電球ソケットの組立を説明すれば次の通りである。
【００３７】
図３に示されたように、ソケット本体（１００）の下部空間（１０４）にスクリューソケット（１１０）と端子片（１１２）を位置させ、外側上部には固定通電片（２４０）を位置させた後、ソケット本体（１００）の底部からアイレット（１２０）を通じてスクリューソケット（１１０）、端子片（１１２）を固定する。
【００３８】
このとき、アイレット（１２０）は、第３固定孔（１１３）、第２固定孔（１０２）及び空間（１０１）の底に位置した固定通電片（２４０）の第１固定孔（２４２）を順に貫通した後、第１固定孔（２４２）に突出したアイレット（１２０）の上端を圧着して固定する。
【００３９】
一方、接続具（２００）は空間（２０３）で引掛け部（２３１）を形成するとともに垂直面が形成された離脱防止用引掛り（２３２）を形成した弾性片（２３０）を組み入れて接続具（２００）の中心横壁の両側掛り溝（２０２）に引掛り（２３２）が引っ掛かるように挿着／支持する。
【００４０】
このようにソケット本体（１００）と接続具（２００）のそれぞれの内部組込みが終わると、接続具（２００）をソケット本体（１００）の上面空間（１０１）に組み入れて接続具（２００）がソケット本体（１００）に結合されるようにする。
【００４１】
このとき、接続具（２００）の空間（２０３）内に空いている掛り溝（２０２）に固定通電片（２４０）の引掛け（２４３）が挿入されるとともに引っ掛かるようにすることによって、接続具（２００）と固定通電片（２４０）が一体に連結されるようになるため、ソケット本体（１００）と接続具（２００）が一体に結合されるのである。
【００４２】
このような結合によって弾性片（２３０）と固定通電片（２４０）がそれぞれの空間（２０３）内で互いに向い合って位置するので、裸電線「ａ２」は挿入により引掛け部（２３１）と固定通電片（２４０）の間で密着／支持されているようになるのである。
【００４３】
特に、本発明の電球ソケットは、接続具（２００）一体のソケット本体（１００）の結合力を補強するためにソケット本体（１００）の底部でスクリューボルト（２２０）一つをスクリューソケット（１１０）の第３締結孔（１１４）と第２締結孔（１０５）を介して順に挿し入れて接続具（２００）の締結突部（２１０）の第１締結孔（２１２）と結合することによって、接続具（２００）とソケット本体（１００）がより強く結合される。
【００４４】
以後、ランプかさ「Ａ」との結合のためにランプかさに形成された孔の上から他のスクリューボルト（２２０）で第１、第２締結孔（２１２）（１０５）に締結／固定することによって、ランプかさ「Ａ」一体のソケット結合構造を提供することになる。
【００４５】
添付図面のうち図６は、本発明の電球ソケットがランプかさと結合された断面図である。
【００４６】
前記図面と図５（ａ）、（ｂ）に基づいて本発明の電球ソケットの作用を説明すれば次の通りである。
【００４７】
図面らに示されたように、裸電線「ａ２」を入口部（２０１）に挿入させて固定通電片（２４０）と弾性片（２３０）の引掛け部（２３１）の間に挿入／支持されるようにすることによって、固定通電片（２４０）を介して電源の供給が可能になり、このような固定通電片（２４０）を通じた電源はアイレット（１２０）を介してそれぞれスクリューソケット（１１０）及び端子片（１１２）に通電されて螺合された電球への電源供給がなされるようになるのである。
【００４８】
本発明の実施例２を添付図面とともに説明すれば次の通りである。
【００４９】
添付図面のうち図７は、本発明の電球ソケットの第２実施例の斜視図であり、図８は本発明の電球ソケットの第２実施例の分解斜視図であり、図９（ａ）ないし（ｃ）は本発明の電球ソケットの接続具（４００）の断面図、平面図及び底面図であり、図１０（ａ）及び（ｂ）は本発明の電球ソケットのソケット本体の底面図と平面図である。
【００５０】
前記図面らによる本発明電球ソケットは、大きく分けてソケット本体（３００）と接続具（４００）からなり、接続具（４００）内部に装着される弾性片（４３０）と、固定通電片（４４０）と、接地通電片（４５０）からなり、スクリューボルト（４２０）とアイレット（３２０）のような締結部材で組立てられ、ランプかさ(Ａ)は開口部(ａ１)を通じて接続具（４００）に挿着支持され、裸電線(ａ２)が入口部(４０１)を通じてて挿入／接続される。
【００５１】
ソケット本体(３００)は下部空間(３０４)に端子片(３１２)とともにアイレット(３２０)で固定されるスクリューソケット(３１０)を備え、上部には後述する引掛け(４４３)を形成した固定通電片(４４０)が固定される凹入溝部（３０１）を形成してなる。
【００５２】
前記ソケット本体（３００）は、前記接続具（４００）が結合される凹入溝部（３０１）の底側にアイレット（３２０）が貫通される固定孔（３０２）を形成し、前記締結突部（４１０）と連通する締結孔（３０５）を形成してスクリューボルト（４２０）で締結される。
【００５３】
前記ソケット本体（３００）の凹入溝部（３０１）は前記接続具（４００）の締結突部（４１０）に対応するように全体的に十字状をなす。
【００５４】
接続具（４００）は裸電線「ａ２」が挿入／接続される入口部（４０１）を形成し、底部は開口されるとともに内側空間（４０３）に弾性片（４３０）が挿持され、この弾性片（４３０）に対応して挿着されるように前記固定通電片（４４０）の引掛け（４４３）が引っ掛かる掛り溝（４０２）を形成し、締結孔（４１１）（４１２）を形成した締結突部（４１０）を両側の中間部に形成してなる。
【００５５】
特に、前記接続具（４００）は、下方を開口させて少なくとも三つの空間（４０３）に区画し、それぞれの空間（４０３）の内壁には掛り溝（４０２）が形成されており、この空間（４０３）は前記入口部（４０１）に連通し、外側の広幅の両側垂直面には締結突部（４１０）と結合の際に離脱が防止される引掛り弾片（４０４）が並んで形成されており、同時にランプかさの組立の際に引掛り弾片により固定されたランプかさ（Ａ）の固定状態を補完するための補助突起（４０７）が形成されている。
【００５６】
弾性片（４３０）は、裸電線「ａ２」が挿入されて掛けられるように上部は傾斜した引掛け部（４３１）を形成するとともに、その垂直面には離脱防止用の引掛り（４３２）を形成し、下部は直角面を形成してなる。
【００５７】
固定通電片（４４０）は、Ｌ字状をなしながら、その垂直面には引掛け（４４３）を形成し、下部は直角に折曲げられて固定孔（４４２）を形成してなる。
【００５８】
本発明は、実施例１と違って、前記締結突部（４１０）のいずれか一つには中央の入口部（４０１）の上部から切欠いた開口部（４０５）と挿持溝（４０６）が連通し、締結孔（４５２）と引掛り（４５３）を形成した接地通電片（４５０）が挿着／支持される。
【００５９】
その他にも公知のスクリューソケット（３１０）、端子片（３１２）、アイレット（３２０）、スクリューボルト（４２０）らが本発明の電球ソケットの他の組立部品をなす。
【００６０】
本発明の組立ては、前記図面らに示されたように、ソケット本体（３００）の下部空間（３０４）にスクリューソケット（３１０）と端子片（３１２）を位置させ、外側上部には固定通電片（４４０）を位置させた後、ソケット本体（３００）の底部からアイレット（３２０）を通じてスクリューソケット（３１０）、端子片（３１２）を固定してなる。
【００６１】
このとき、アイレット（３２０）は、第３固定孔（３１３）、第２固定孔（３１４）及び空間（３０１）の底に位置した固定通電片（４４０）の第１固定孔（４４２）を順に貫通した後、第１固定孔（４４２）に突出されたアイレット（３２０）の上端を圧着固定してソケットを組立てる。
【００６２】
一方、接続具（４００）は空間（４０３）で引掛け部（４３１）を形成するとともに垂直面をなし、その中間に離脱防止用の引掛り（４３２）を形成した弾性片（４３０）を組み入れて接続具（４００）の中心横壁の両側掛り溝（４０２）に引掛り（４３２）が引っ掛かるように挿着／支持する。
【００６３】
このようにソケット本体（３００）と接続具（４００）のそれぞれの内部組込みが終わると、接続具（４００）をソケット本体（３００）の上面空間（３０１）に組み入れて接続具（４００）がソケット本体（３００）に結合されるようにする。
【００６４】
このとき、接続具（４００）の空間（４０３）内の掛り溝（４０２）に固定通電片（４４０）の引掛け（４４３）が挿入とともに引っ掛かるようにすることによって、接続具（４００）と固定通電片（４４０）が一体に連結されるようになるため、ソケット本体（３００）と接続具（４００）が一体に結合されるのである。
【００６５】
このような結合によって弾性片（４３０）と固定通電片（４４０）がそれぞれの空間（４０３）内で向い合って位置するので、裸電線「ａ２」は挿入により引掛け部（４３１）と固定通電片（４４０）の間で密着／支持されているようになるのである。
【００６６】
以後、ランプかさ「Ａ」との結合のために、ランプかさに形成された孔の上から他のスクリューボルト（４２０）として締結孔（４１１）（３０２）を同時に締結／固定することによって、ランプかさ「Ａ」一体のソケット結合構造を提供するようになる。
【００６７】
添付図面のうち図１１（ａ）、（ｂ）は本発明の電球ソケットの断面図である。
【００６８】
前記図面と図面図１１（ａ）、（ｂ）に基づいて本発明の電球ソケットの作用を説明すれば次の通りである。
【００６９】
図面に示されたように、裸電線「ａ２」を入口部（４０１）に挿入して固定通電片（４４０）と弾性片（４３０）の引掛け部（４３１）の間に挿入／支持されるようにすることによって、固定通電片（４４０）を通じて電源の供給が可能になり、このような固定通電片（４４０）を通じた電源はアイレット（３２０）を介してそれぞれのスクリューソケット（３１０）及び端子片（３１２）に通電されて螺合した電球のベースを通じて電源供給がなされるようになるのである。
【００７０】
このように本発明は今まで知られた電球ソケットと異なる裸電線接続具を備えた電球ソケットを新しく提供するようになるものである。
【００７１】
前述のように、本発明は従来ソケット本体の後端のボルト頭、アイレットに裸電線を丸くリング状に巻いた後、ボルト締めで連結する方式の被覆電線接続構造を改善して被覆電線の端部を剥いた裸電線の接続/結合が簡便になされる効果を有する。
【００７２】
簡単な電線の接続構造を有するによってより安定した電源の供給が可能になり、特に、電球ソケットの組立作業が迅速で、同時に要求される器具との接地も可能になる効果を有する。
【産業上の利用可能性】
【００７３】
前述のように、本発明による電球ソケットはランプかさ、天井などに設置して用いられる各種の照明器具分野に幅広く活用できる。
【図面の簡単な説明】
【００７４】
【図１】従来電球ソケットの一例を示す分解図である。
【図２】本発明電球ソケットの結合斜視図である。
【図３】本発明電球ソケットの分解斜視図である。
【図４】本発明電球ソケットの分解断面図である。
【図５】（ａ）及び（ｂ）は、本発明電球ソケットの結合断面図である。
【図６】本発明電球ソケットにランプかさが結合された断面図である。
【図７】本発明電球ソケットの第２実施例の斜視図である。
【図８】本発明電球ソケットの第２実施例の分解斜視図である。
【図９】（ａ）ないし（ｃ）は、本発明電球ソケットの接続具（４００）の断面図、平面図、底面図である。
【図１０】（ａ）及び（ｂ）は、本発明電球ソケットのソケット本体の底面図及び平面図である。
【図１１】（ａ）及び（ｂ）は、本発明電球ソケットの断面図である。
【図１】
2009524905.tif 000003
【図２】
2009524905.tif 000004
【図３】
2009524905.tif 000005
【図４】
2009524905.tif 000006
【図５】
2009524905.tif 000007
【図６】
2009524905.tif 000008
【図７】
2009524905.tif 000009
【図８】
2009524905.tif 000010
【図９】
2009524905.tif 000011
【図１０】
2009524905.tif 000012
【図１１】
2009524905.tif 000013
【国際調査報告】
2009524905.tif 000014
2009524905.tif 000015